【手続補正書】
【提出日】令和3年1月8日(2021.1.8)
【手続補正１】
【補正対象書類名】特許請求の範囲
【補正対象項目名】全文
【補正方法】変更
【補正の内容】
【特許請求の範囲】
【請求項１】
２つの隣接する椎骨間埋入のための展開可能な癒合装置であって、装置は：
駆動機構と縦軸とを含むアクチュエータ；
アクチュエータへ連結されたウェッジアセンブリ；
ウェッジアセンブリとスライド可能に連結されたランプアセンブリ；
ランプアセンブリとスライド可能に連結された上部エンドプレートアセンブリ；および
ランプアセンブリとスライド可能に連結された下部エンドプレートアセンブリ；
を含み、
ここで装置は、上部エンドプレートアセンブリおよび下部エンドプレートアセンブリの少なくとも一方の外部幅を含む幅を有し；
ここで装置は、上部エンドプレートアセンブリと下部エンドプレートアセンブリとの間の外部距離を含む高さを有し；
第１の作動方向における第１の作動数による駆動機構の作動は、高さを増加させることなく幅を増加させ；および
第１の作動方向における第１の作動数を超える第２の作動数による駆動機構の作動は、高さおよび幅の少なくとも一方を増加させる、
前記装置。
【請求項２】
第１の作動方向における第１の作動数を超える第２の作動数による駆動機構の作動が、高さと幅の両方を増加させる、請求項１に記載の装置。
【請求項３】
第１の作動方向における第１および第２の作動数を超える第３の作動数による駆動機構の作動が、幅を増加させることなく高さを増加させる、請求項１に記載の装置。
【請求項４】
駆動機構が少なくとも第１の作動数によって作動されると、装置の幅が極限に達する、請求項１に記載の装置。
【請求項５】
駆動機構が少なくとも第１および第２の作動数によって作動されると、装置の高さが極限に達する、請求項１に記載の装置。
【請求項６】
少なくとも第１の作動数によって第１の作動方向において駆動機構を作動させると、装置の高さが最大で約４００％増加する、請求項４に記載の装置。
【請求項７】
少なくとも第１および第２の作動数によって第１の作動方向において駆動機構を作動させると、装置の幅が最大で約１５０％増加する、請求項５に記載の装置。
【請求項８】
アクチュエータが遠位端および近位端を有し、遠位端の少なくとも一部は第１のねじ山機構を含み、近位端の少なくとも一部は第２のねじ山機構を含み、近位端は駆動機構を含む、請求項１に記載の装置。
【請求項９】
第１のねじ山機構および第２のねじ山機構の少なくとも一方が、アクチュエータの周囲外部に配置されたねじ山を含む、請求項８に記載の装置。
【請求項１０】
第１のねじ山機構と第２のねじ山機構とが、反対のねじ切り方向を有する、請求項８に記載の装置。
【請求項１１】
ウェッジアセンブリが、遠位ウェッジおよび近位ウェッジを含む、請求項１に記載の装置。
【請求項１２】
第１の方向における駆動機構の作動が、遠位ウェッジと近位ウェッジとを互いに向けて近づける、請求項１１に記載の装置。
【請求項１３】
アクチュエータが遠位端および近位端を有し、遠位端の少なくとも一部は第１のねじ山機構を含み、近位端の少なくとも一部は第２のねじ山機構を含み、近位端は駆動機構を含み、遠位ウェッジが、第３のねじ山機構を含み、第３のねじ山機構は、第１のねじ山機構に螺合されている、請求項１１に記載の装置。
【請求項１４】
アクチュエータが遠位端および近位端を有し、遠位端の少なくとも一部は第１のねじ山機構を含み、近位端の少なくとも一部は第２のねじ山機構を含み、近位端は駆動機構を含み、近位ウェッジが、第４のねじ山機構を含み、第４のねじ山機構は、第２のねじ山機構に螺合されている、請求項１１に記載の装置。
【請求項１５】
第３のねじ山機構が、遠位ウェッジの内部に配置されたねじ山を含む、請求項１３に記載の装置。
【請求項１６】
第４のねじ山機構が、近位ウェッジの内部に配置されたねじ山を含む、請求項１４に記載の装置。
【請求項１７】
ランプアセンブリが、第１の遠位ランプ、第２の遠位ランプ、第１の近位ランプおよび第２の近位ランプを含む、請求項１に記載の装置。
【請求項１８】
ウェッジアセンブリおよびランプアセンブリ、ランプアセンブリおよび上部エンドプレートアセンブリ、ならびに、ランプアセンブリおよび下部エンドプレートアセンブリの少なくとも１つの間のスライド可能な連結が、縦軸から正面角にある、請求項１１に記載の装置。
【請求項１９】
正面角が、約０°〜約９０°である、請求項１８に記載の装置。
【請求項２０】
ウェッジアセンブリおよびランプアセンブリ、ランプアセンブリおよび上部エンドプレートアセンブリ、ならびに、ランプアセンブリおよび下部エンドプレートアセンブリの少なくとも１つの間のスライド可能な連結部が、突起とスロットとを含み、突起は、ウェッジアセンブリ、ランプアセンブリ、上部エンドプレートアセンブリおよび下部エンドプレートアセンブリの少なくとも１つから延在し、スロットは、上部エンドプレートアセンブリおよび下部エンドプレートアセンブリの少なくとも一方に配置される、請求項１に記載の装置。
【請求項２１】
突起が、ピン、リッジ、ディンプル、ボルト、ネジ、ベアリングまたはそれらの任意の組み合わせを含む、請求項２０に記載の装置。
【請求項２２】
スロットが、貫通スロット、ブラインドスロット、ｔ−スロット、ｖ−スロット、溝またはそれらの任意の組み合わせを含む、請求項２０に記載の装置。
【請求項２３】
駆動機構が、駆動器械を受け入れるように構成された凹部領域を含む、請求項１に記載の装置。
【請求項２４】
凹部領域が、スロット、フィリップス、ポジドライブ、フレアーソン、ロバートソン、１２点フランジ、六角ソケット、セキュリティ六角ソケット、スタードライブ、セキュリティトルクス（登録商標）、ｔａ、三点、三翼、スパナヘッド、クラッチ、ワンウェイ、ダブルスクエア、トリプルスクエア、ポリドライブ、スプラインドライブ、ダブルヘックス、ブリストル、ねじ山、摩擦フィット、またはペンタローブ凹部を含む、請求項２３に記載の装置。
【請求項２５】
駆動機構が、駆動機構から延在すると共に駆動器械に連結されるように構成されたプロチュバランスを含む、請求項１に記載の装置。
【請求項２６】
プロチュバランスが、六角、ヘクサロビュラ、ねじ山付きまたは正方形のプロチュバランスを含む、請求項２５に記載の装置。
【請求項２７】
上部エンドプレートアセンブリが、第１のエンドプレートおよび第２のエンドプレートを含み、下部エンドプレートアセンブリが、第３のエンドプレートおよび第４のエンドプレートを含む、請求項１に記載の装置。
【請求項２８】
第１のエンドプレートおよび第２のエンドプレート、第３のエンドプレートおよび第４のエンドプレート、第１の近位ランプおよび第２の近位ランプ、ならびに、第１の遠位ランプおよび第２の遠位ランプの少なくとも１つが鏡面等価性を有する、請求項２７に記載の装置。
【請求項２９】
第２エンドプレートおよび第４エンドプレートの少なくとも一方が、第１エンドプレートおよび第３エンドプレートの少なくとも一方よりも大きい、請求項２７に記載の装置。
【請求項３０】
第１のエンドプレート、第２のエンドプレート、第３のエンドプレートおよび第４のエンドプレートの少なくとも１つの外面が、椎骨を把持するように構成されたテクスチャを含む、請求項２７に記載の装置。
【請求項３１】
テクスチャリングが、歯、リッジ、粗面領域、金属コーティング、セラミックコーティング、キール、スパイク、突出、溝またはそれらの任意の組み合わせを含む、請求項３０に記載の装置。
【請求項３２】
アクチュエータ、ウェッジアセンブリ、ランプアセンブリ、上部エンドプレートアセンブリおよび下部エンドプレートアセンブリの少なくとも１つが、チタン、コバルト、ステンレス鋼、タンタル、白金、ＰＥＥＫ、ＰＥＫＫ、炭素繊維、硫酸バリウム、ヒドロキシアパタイト、セラミック、酸化ジルコニウム、窒化ケイ素、カーボン、骨グラフト、脱塩骨マトリックス製品、合成骨代用品、骨形成剤、骨成長誘導材料またはそれらの任意の組み合わせを含む、請求項１に記載の装置。
【請求項３３】
２つの隣接する椎骨間埋入のための展開可能な癒合システムであって、システムは、挿入器および展開可能な癒合装置を含み、装置は：
駆動機構を含むアクチュエータ；
ウェッジアセンブリ；
ランプアセンブリ；
上部エンドプレートアセンブ；および
下部エンドプレートアセンブリ
を含み、
ここで装置は、第１のエンドプレートおよび第３のエンドプレート、ならびに第２のエンドプレートおよび第４のエンドプレートの少なくとも一方の間の外部距離を含む幅を有し、
ここで装置は、第１のエンドプレートおよび第２のエンドプレート、ならびに第３のエンドプレートおよび第４のエンドプレートの少なくとも一方の間の外部距離を含む高さを有し、
第１の作動方向における第１の作動数による駆動機構の作動は、高さを増大させることなく幅を増大させ、および
第１の作動方向における第１の作動数を超える第２の作動数による駆動機構の作動は、高さおよび幅の少なくとも一方を増大させる、
前記システム。
【請求項３４】
折り畳みツールをさらに含む、請求項３３に記載のシステム。